(57)【特許請求の範囲】
【請求項１】
乗物に搭載される通信装置であって、
前記乗物から１つ以上の情報を読み出すように構成された読出し手段と、
１つ以上の受信機のブロードキャストアドレスを受信するように構成された受信手段と、
前記ブロードキャストアドレスを用いて前記１つ以上の受信機へ前記読み出した１つ以上の情報を繰り返しブロードキャストするように構成されたブロードキャスト手段とを備え、
前記ブロードキャスト手段は、高い優先度を有する情報を高い頻度でブロードキャストすることを特徴とする通信装置。
【請求項２】
前記乗物の地理的位置を取得するように構成された位置決定手段を更に備え、
前記受信手段は、各受信機の地理的カバレッジエリアの指標を更に受信し、
前記ブロードキャスト手段は、前記取得した地理的位置が前記１つ以上の受信機の地理的カバレッジエリアの何れかに入った場合に、前記１つ以上の情報のブロードキャストを始めることを特徴とする請求項１に記載の通信装置。
【請求項３】
前記ブロードキャスト手段は、高い優先度を有する情報を、前記ブロードキャストの開始後に先にブロードキャストすることを特徴とする請求項２に記載の通信装置。
【請求項４】
前記１つ以上の受信機は免許不要ネットワークに含まれることを特徴とする請求項１乃至３の何れか１項に記載の通信装置。
【請求項５】
前記１つ以上の受信機は無線ＬＡＮのアクセスポイントであることを特徴とする請求項４に記載の通信装置。
【請求項６】
前記読出し手段は前記乗物から１つ以上の情報を繰り返し読み出すことを特徴とする請求項１乃至５の何れか１項に記載の通信装置。
【請求項７】
前記受信手段は、前記受信機の前記ブロードキャストアドレスとともに、前記受信機へ前記１つ以上の情報をブロードキャストするために必要なセキュリティ情報を更に受信することを特徴とする請求項１乃至６の何れか１項に記載の通信装置。
【請求項８】
前記受信手段は、移動体ネットワークを介して前記セキュリティ情報及び前記ブロードキャストアドレスを受信することを特徴とする請求項７に記載の通信装置。
【請求項９】
前記受信手段は、ブロードキャストされた情報が何れかの受信機において受信に成功したことの通知を更に受信し、
前記ブロードキャスト手段は、受信に成功した情報のブロードキャストを停止することを特徴とする請求項１乃至８の何れか１項に記載の通信装置。
【請求項１０】
前記ブロードキャスト手段は、所定の反復回数を繰り返されたか、所定の期間が経過した情報のブロードキャストを停止することを特徴とする請求項１乃至９の何れか１項に記載の通信装置。
【請求項１１】
コンピュータを請求項１乃至１０の何れか１項に記載の通信装置として機能させるためのコンピュータプログラム。
【発明の詳細な説明】
【技術分野】
【０００１】
本発明は通信装置に関する。
【背景技術】
【０００２】
今日、バッテリ状態、エンジン状態及び一般的なヘルス情報のような自身の状態を乗物に報告させる要望が高まってきている。乗物は徐々にセンサネットワークを備えるようになってきており、センサネットワークは乗物のシャーシやボディに組み込まれ、エンジンやバッテリなどの動作部分を動的に測定できる。センサネットワークはまた、乗物の電子バスに組み込まれるか、ローカルバス（例えば６０ＧＨｚネットワーク）を用いるような様々な方法で乗物のカスタマイズの一部として出荷後に付加されうる。
【０００３】
一部の乗物は自身の状態を送信し、モバイルネットワークを介して製造者から情報を受信するために、ＧＳＭネットワーク若しくは他の３ＧＰＰ又は３ＧＰＰ２標準ネットワークのための移動体モジュールを備える。他の乗物は、特に高速道路に適用される電子料金徴収システムが乗物からのプローブ情報の収集技術として倍増している日本のような国では、様々なデータ送信システムを用いる。現在、これらのシステムは双方向に適用され、乗物から情報を受信するだけでなく、乗物に情報を提供する。しかしながら、日本では出口及び入口のような高速道路に沿った選択地点の周りの少数のホットスポットにサービス範囲が限られる。
【０００４】
別の実施上の考慮点は、コストと、様々なタイプのネットワークへのアクセス権とである。今日、日本の道路に沿って存在する路側ネットワークは道路機関によって制御され、このネットワークを通じて送信される任意の報告はこの機関の所有物になる。乗物の製造者は、自身で、又は移動体ネットワークオペレータと連携して、乗物の製造者によって運用される移動体データネットワークを通じて送信されるデータに関して同じ立場を取ることが多い。
【０００５】
別の背景技術はブロードキャストディスクである。ブロードキャストディスクは、最も人気のあるメディアへのアクセスが最適化されるようにデータのブロードキャスト又はマルチキャストを手配するためのソフトウェアの方法である。特許文献１、非特許文献１及び非特許文献２に記載されるように、この技術は、データが最大数のユーザに到達するように最適化された方法で送信に含まれるデータを配信するファイルシステム（又は他のオブジェクトシステム）を編成する。特許文献２、特許文献３、特許文献４及び非特許文献３もブロードキャストディスクの使用方法について記載する。
【先行技術文献】
【特許文献】
【０００６】
【特許文献１】米国特許第６４３８５９３号明細書
【特許文献２】国際公開第９６／３４３４９号
【特許文献３】欧州特許第１６２２２９４号明細書
【特許文献４】米国特許第７５８０６６８号明細書
【非特許文献】
【０００７】
【非特許文献１】“Are disks in the air just pie in the sky?” (http://citeseerx.ist.psu.edu/viewdoc/download?doi=10.1.1.91.8382&rep=rep1&type=pdf)
【非特許文献２】“Dissemination-based data delivery using broadcast disks” (http://citeseerx.ist.psu.edu/viewdoc/download?doi=10.1.1.36.1734&rep=rep1&type=pdf)
【非特許文献３】“Multi-level multi-channel air cache designs for broadcasting in a mobile environment” (http://citeseerx.ist.psu.edu/viewdoc/download?doi=10.1.1.36.775&rep=rep1&type=pdf)
【発明の概要】
【発明が解決しようとする課題】
【０００８】
例えば地元の新聞社、地元の修理工場や乗物部品チェーン、企業のフリート管理者や同様の他の主体のような、乗物のために独立のプローブシステムを配備したい者は、免許不要ネットワークに自身のプローブデータ受信機を配備しなければならないことが想定される。本発明は、乗物から免許不要ネットワーク内の受信機へ効率的な方法で情報を送信するための技術を提供する。
【課題を解決するための手段】
【０００９】
本発明の１つの側面は、乗物に搭載される通信装置であって、前記乗物から１つ以上の情報を読み出すように構成された読出し手段と、１つ以上の受信機のブロードキャストアドレスを受信するように構成された受信手段と、前記ブロードキャストアドレスを用いて前記１つ以上の受信機へ前記読み出した１つ以上の情報を繰り返しブロードキャストするように構成されたブロードキャスト手段とを備え、前記ブロードキャスト手段は、高い優先度を有する情報を高い頻度でブロードキャストすることを特徴とする通信装置を提供する。
【００１０】
本発明の更なる特徴は添付の図面を参照する以下の例示の実施形態の説明から明らかになるだろう。
【図面の簡単な説明】
【００１１】
【図１】本発明の一部の実施形態による例示のシステムを説明する図である。
【図２】本発明の一部の実施形態による乗物１００の例示のブロック図を説明する図である。
【図３】本発明の一部の実施形態による情報管理部２０４の動作を説明する図である。
【図４】本発明の一部の実施形態によるブロードキャストディスク管理部２１５の動作を説明する図である。
【図５】本発明の一部の実施形態による報告表、ポリシー表及びブロードキャストディスクの例を説明する図である。
【図６】本発明の一部の実施形態によるブロードキャスト制御部２１７の例示の動作を説明する図である。
【図７】本発明の他の実施形態によるブロードキャスト制御部２１７の動作を説明する図である。
【発明を実施するための形態】
【００１２】
添付の図面を参照しつつ本発明の実施形態が以下に説明される。以下に説明される各実施形態は、総括的な概念からより具体的な概念まで様々な概念を理解するのに役立つだろう。本発明の技術的範囲は特許請求の範囲によって規定され、以下に説明される各実施形態に限定されないことに留意されたい。さらに、実施形態で説明される特徴の全ての組合せが本発明にとって常に必須であるとは限らない。
【００１３】
図１は本発明の一部の実施形態による例示のシステムを説明する。このシステムでは、乗物１００はアクセスポイント１２０Ａ〜１２０Ｄを介して情報サーバ１３０へ情報を送信する。アクセスポイント１２０Ａ〜１２０Ｄは主体、例えば道路１１０を走行する乗物の状態を読み出すことを望む地元の修理業者によって道路１１０に沿って配置され、このアクセスポイント１２０Ａ〜１２０Ｄのカバレッジエリア１２１Ａ〜１２１Ｄは道路１１０の一部を覆う。乗物からアクセスポイント１２０Ａ〜１２０Ｄへの送信は、免許不要周波数帯を用いる無線ＬＡＮやＢｌｕｅｔｏｏｔｈ（登録商標）のような免許不要ネットワーク上で実行され、この免許不要ネットワークは移動体ネットワークよりもコストが低い。都市の道路システムの完全な被覆は主体にとって手が届かないほど高額でありうるので、主体は、交通量が最も多い交差点、戦略的に配置された都市又は高速道路の入口及び出口、市役所の前の信号機の下などのような所定の場所をカバーするように選択してもよい。
【００１４】
アクセスポイント１２０Ａ〜１２０Ｄは、乗物１００がアクセスポイント１２０Ａ〜１２０Ｄのそばを通る場合、すなわち乗物１００がカバレッジエリア１２１Ａ〜１２１Ｄ内にある場合に、道路１１０を走行中の乗物１００から送信されたデータを受信する。アクセスポイント１２０Ａ〜１２０Ｄは受信した情報を、主体によって管理される情報サーバ１３０へ転送する。情報サーバ１３０へ報告される情報は、乗物１００で発生した障害、乗物１００によって取得されたプローブ交通情報、乗物１００の周辺の天候情報などを含みうる。乗物１００から情報サーバ１３０へ報告される情報のそれぞれは、以降で報告項目と呼ばれる。
【００１５】
免許不要周波数帯におけるアクセスポイントのカバレッジエリアの大きさは指向性アンテナを用いると典型的に約１００メートルにわたるが、通常の範囲は３０メートル程度である。高速道路と高速道路を囲むエリアとの物理的設計に起因して、カバレッジが両方向に１００ｍまでわたる可能性は低く、すなわちカバレッジは１つの方向から来る乗物に対して３０メートルであり、別の方向から来る乗物に対して１００メートルである。制限速度が時速１００Ｋｍである高速道路に沿ってこのようなアクセスポイントが配置されるならば、ほとんどの乗物が平均してこの制限速度を維持すると想定でき、従って乗物がアクセスポイントのカバレッジエリアを通り過ぎる時間は約１秒である。よって、乗物ネットワークがまずＩＰアドレスを受信するためにＴＣＰ／ＩＰを介してアタッチメントを行い、次いでＤＮＳを用いて報告先のアクセスポイントをルックアップしなければならない従来の配備を用いるのは、特に鍵交換も行われるセキュリティメカニズムが適用されるならば、難しいだろう。よって、乗物１００はブロードキャストディスクを用いてアクセスポイント１２０Ａ〜１２０Ｄへ報告項目をブロードキャストする。
【００１６】
図２は本発明の一部の実施形態による乗物１００の例示のブロック図を説明する。乗物１００は図２に示される構成要素を備えてもよい。ＣＰＵ２０１は乗物１００の全体的な動作を制御する。メモリ２０２は乗物１００の動作に用いられるコンピュータプログラム及びデータを格納する。情報管理部２０４はセンサ２０３を用いてデータを取得して報告項目を生成する。
【００１７】
通信装置２１０は図２に示される構成要素を備えてもよい。これらの構成要素の一部はオプションであり、一部の実施形態では用いられない。通信装置２１０は個別のＣＰＵ２１１及びメモリ２１２を備えてもよいが、他の実施形態における通信装置は乗物１００とＣＰＵ及びメモリを共有してもよい。言い換えると、ＣＰＵ２０１及びメモリ２０２は通信装置２１０を制御するために用いられてもよい。
【００１８】
ＬＡＮインタフェース２１３はアクセスポイント１２０Ａ〜１２０Ｄを含む無線ＬＡＮにアクセスするために用いられる。無線ＬＡＮは免許不要ネットワークの例であり、アクセスポイント１２０Ａ〜１２０Ｄを介して情報サーバ１３０へ報告項目を送信するためにＢｌｕｅｔｏｏｔｈネットワークのような他の免許不要ネットワークが用いられてもよい。移動体インタフェース２１４は３Ｇネットワーク、ＬＴＥネットワークなどのような移動体ネットワークにアクセスするために用いられる。
【００１９】
ブロードキャストディスク管理部２１５は報告項目をブロードキャストするためのブロードキャストディスクを管理する。ブロードキャストディスク管理部２１５はメモリ２０２から報告項目を読み出し、読み出した報告項目とポリシーとに基づいてブロードキャストディスクを生成し、生成したブロードキャストディスクをメモリ２１２に格納する。ブロードキャストディスク管理部２１５は、由来、内容などに基づいて各報告項目にメタデータを付加してもよい。
【００２０】
ポリシー管理部２１６はブロードキャスト管理部２１５によるブロードキャストディスクの編成のためのポリシーを管理する。ポリシーは、各報告項目が送信される頻度、各項目が送信される回数、各項目が送信される期間などを規定してもよい。ポリシーは、乗物１００が製造される際に提供されてもよいし、ＬＡＮインタフェース２１３又は移動体インタフェース２１４を通じてメモリ２１２にダウンロードされてもよい。ポリシーの提供は、ＳＩＰ、ＨＴＴＰ、ＤＩＡＭＥＴＥＲ、ＣＯＡＰ、ＯＢＥＸ、又はネットワークインタフェースを介して適用され、データを輸送できる任意の汎用又は専用のプロトコルのような任意のプロトコルで行われうる。ポリシーのファイル形式も本質的ではなく、ユニコード、バイナリビッグエンディアン、バイナリリトルエンディアン、モールス信号、又は任意の関連するフォーマットとして符号化されたテキストでありうる。
【００２１】
ブロードキャスト制御部２１７はメモリ２１２に格納されたブロードキャストディスクに従って報告項目をブロードキャストするようにＬＡＮインタフェース２１３を制御する。ジオコーディング管理部２１８は通信装置２１０の地理的位置（すなわち、乗物１００の地理的位置）を取得する。
【００２２】
図３のフローチャートは本発明の一部の実施形態による情報管理部２０４の動作を説明する。ＣＰＵ２０２はこれらの動作を処理するためにメモリ２０２に格納されたコンピュータプログラムを実行してもよい。
【００２３】
ステップＳ３０１で、情報管理部２０４はバッテリ電圧レベル、乗物１００の周囲の気温などのようなデータをセンサ２０３から読み出す。ステップＳ３０２で、情報管理部２０４は、読み出したデータに基づいて、メモリ２０２に格納される報告項目を作成、更新及び／又は削除する。例えば、乗物１００においてブレーキ障害が発生したことを読み出したデータが示す場合に、情報管理部２０４はブレーキ障害を表す新たな報告項目を生成し、それをメモリ２０２に格納する。センサ２０３が乗物１００の現在の速さを取得する場合に、情報管理部２０４は速さを表すメモリ２０２内の既存の報告項目を更新する。バッテリの交換によって乗物１００におけるバッテリ障害が回復したことを読み出したデータが示す場合に、情報管理部２０４はバッテリ障害を表す既存の報告項目をメモリ２０２から削除する。情報管理部２０４は乗物１００が動作している間にＳ３０１及びＳ３０２の動作を繰り返す。結果として、メモリ２０２は情報サーバ１３０へ現在報告すべき報告項目を格納する。
【００２４】
図４のフローチャートは本発明の一部の実施形態によるブロードディスク管理部２１５の動作を説明する。ＣＰＵ２１１はこれらの動作を処理するためにメモリ２１２に格納されたコンピュータプログラムを実行してもよい。ステップＳ４０１で、ブロードキャストディスク管理部２１５はメモリ２１２に格納された報告表を更新する。報告表は報告項目とそれに関連するデータとを格納する表である。図５（ａ）は報告表５００の例を説明する。報告表５００の各エントリが報告項目に対応する。報告表５００は報告項目のタイプと名称とを表す２つの列を有する。
【００２５】
ブロードキャスト管理部２１５はメモリ２０２内の報告項目をチェックする。新たな報告項目がメモリ２０２に追加された場合に、ブロードキャストディスク管理部２１５はこの報告項目を報告表５００に追加する。メモリ２０２内の既存の報告項目が更新された場合に、ブロードキャストディスク管理部２１５は報告表５００内のこの報告項目を更新する。既存の報告項目がメモリ２０２から削除された場合に、ブロードキャストディスク管理部２１５はこの報告項目を報告表５００から削除する。図５（ａ）の報告表５００は、５つの報告項目、すなわちブレーキ障害（タイプＡ）、エンジントラブル（タイプＢ）、バッテリ低下（タイプＣ）、タイヤのパンク（タイプＤ）、及びエアフィルタの詰まり（タイプＥ）を含む。
【００２６】
報告表５００は送信回数を表す列を含んでもよい。ブロードキャスト管理部２１５は、所定の報告項目が通信装置２１０からブロードキャストされた場合にこの報告項目の送信回数を増やす。
【００２７】
一部の実施形態では、情報サーバ１３０が通信装置２１０からの報告項目の受信に成功した場合に、情報サーバ１３０は無線ＬＡＮ及び／又は移動体ネットワークを介して通信装置２１０へ確認応答を送信する。この場合に、情報サーバ１３０から確認応答を受信したことに応答して、ブロードキャストディスク管理部２１５は、情報サーバ１３０が受信に成功した報告項目を報告表５００から削除してもよい。
【００２８】
ステップＳ４０２で、ブロードキャストディスク管理部２１５は報告表５００に追加された報告項目にメタデータを付加してもよい。メタデータは乗物１００の識別情報、報告項目がいつ生成されたかを示すタイムスタンプなどを含んでもよい。通信装置２１０がジオコーディング管理部２１８を含む場合に、メタデータは報告項目がどこで生成されたかを示す地理的位置（例えば、ジオ座標）を含んでもよい。
【００２９】
ステップＳ４０３で、ポリシー管理部２１６は乗物１００から読み出された各報告項目についての優先順位を規定するポリシーを取得する。図５（ｂ）はポリシーを規定するポリシー表５１０の例を説明する。ポリシー表５１０は報告項目のタイプと名称とを表す２つの列を有する。ポリシー表５１０はまた、報告項目の優先度を表す列を有する。この例では、値「１」が最高の優先順位を意味する。
【００３０】
ポリシー表５１０の優先度は固定値であってもよいし、可変値であってもよい。ポリシー表５１０は可変優先度の生成規則を表す列を有してもよい。一部の実施形態では、生成規則は報告項目に時間的境界を割り当ててもよい。例えば、報告項目の生成から特定の期間が経過した場合、又は報告項目が特定の回数、通信装置２１０によって送信された場合に、報告項目の優先度が例えば最低の優先順位に減らされてもよい。報告項目が例えば非常に短時間で発生するが、ひとたび発生してしまえば重要ではないエンジン停止に関する場合に、この期間は数秒の期間であってもよい。
【００３１】
他の実施形態では、通信装置２１０がジオコーディング管理部２１８を備える場合に、生成規則は報告項目に地理的境界を割り当ててもよい。例えば、乗物１００が特定の地理的エリア内にある場合に、所定の報告項目の優先度が上げられてもよい。別の例では、所定の報告項目が特定の地理的エリアで生成された場合に、所定の報告項目の優先度が上げられてもよい。特定の地理的エリアは１つ以上のジオキャスト・ポリゴン（例えば、道路１１０に沿った一連のポリゴン）であってもよい。一部の生成規則は時間的境界と地理的境界との両方を含みうる。
【００３２】
ポリシー管理部２１６は乗物１００の記憶装置からポリシー表５１０を取得してもよいし、情報サーバ１３０からダウンロードしてもよい。情報サーバ１３０のオペレータはポリシー表５１０を通信装置２１０へプッシュ配信してもよい。
【００３３】
ステップＳ４０４で、ブロードキャストディスク管理部２１５は、ステップＳ４０１で更新された報告表５００とステップＳ４０３で取得されたポリシー表５１０とに基づいてブロードキャストディスクを生成する。図５（ｃ）はブロードキャストディスク５２０の例を説明する。ブロードキャストディスク５２０は１６個のスロットに分割されている。スロット数は報告表５００内の報告項目の個数と、これらの報告項目の優先度とに従って変わる。ブロードキャストディスク管理部２１５は、高い優先度を有する報告項目に多くの個数のスロットが割り当てられるように、各スロットを報告項目の何れか１つに割り当てる。さらに、ブロードキャスト管理部２１５は、高い優先度を有する報告項目が、ブロードキャストの開始後に先に送信されるスロットを有するように、スロットを報告項目に割り当ててもよい。
【００３４】
ブロードキャストディスク５２０では、最高の優先度を有する報告項目「Ａ」は５個のスロットに位置し、スロット「１」がブロードキャストされる場合に初めてブロードキャストされる。２番目の優先度を有する報告項目「Ｂ」は４個のスロットに位置し、スロット「２」がブロードキャストされる場合に初めてブロードキャストされる。３番目の優先度を有する報告項目「Ｃ」は３個のスロットに位置し、スロット「３」がブロードキャストされる場合に初めてブロードキャストされる。４番目の優先度を有する報告項目「Ｄ」、「Ｅ」は２個のスロットに位置し、それぞれスロット「５」、「９」がブロードキャストされる場合に初めてブロードキャストされる。ブロードキャストディスク５２０は最低の優先度を有する報告項目にスロットを割り当てなくてもよい。ブロードキャストディスク管理部２１５は通信装置２１０が動作している間、Ｓ４０１〜Ｓ４０４の動作を繰り返す。結果として、ステップＳ４０１で報告表が更新されるか、及び／又はステップＳ４０３で新たなポリシー表が取得された場合に、ブロードキャストディスク管理部２１５はそれに従ってブロードキャストディスクを再作成する。
【００３５】
図６のフローチャートは本発明の一部の実施形態によるブロードキャスト制御部２１７の動作を説明する。ＣＰＵ２１１はこれらの動作を処理するためにメモリ２１２に格納されたコンピュータプログラムを実行してもよい。ステップＳ６０１で、ブロードキャスト制御部２１７は報告項目をアクセスポイント１２０Ａ〜１２０Ｄへブロードキャストするためのブロードキャストアドレスを受信する。一部の実施形態では、アクセスポイント（例えば、アクセスポイント１２０Ａ）は無線ＬＡＮを介してブロードキャストアドレスを通信装置２１０へ送信する。ブロードキャストアドレスはデータをアクセスポイント１２０Ａ〜１２０Ｄへブロードキャストするために用いられる。アクセスポイント１２０Ａは、例えば乗物１００が通常は低速で移動する料金ゲートの近くに配置されてもよい。情報サーバ１３０のオペレータがアクセスポイント１２０Ａ〜１２０Ｄのセキュリティ機能を有効にする場合に、通信装置２１０が報告項目をアクセスポイント１２０Ａ〜１２０Ｄへブロードキャストできるように、アクセスポイント１２０Ａはブロードキャストアドレスとともに、暗号化鍵のようなセキュリティ情報を通信装置２１０へ送信してもよい。
【００３６】
他の実施形態では、通信装置２１０が移動体インタフェース２１４を備える場合に、情報サーバ１３０又は他の装置が移動体ネットワークを介してブロードキャストアドレス及び必要なセキュリティ情報を通信装置２１０へ送信してもよい。乗物１００が道路１１０上にある間、任意の時点で鍵を交換できるので、これにより高いセキュリティが提供される。
【００３７】
ステップＳ６０２で、ブロードキャスト制御部２１７は、ステップＳ４０４で生成されたブロードキャストディスクをメモリ２１２から読み出す。ステップＳ６０３で、ブロードキャスト制御部２１７は、ステップＳ６０１で受信したブロードキャストアドレスを用いて、読み出したブロードキャストディスク内の報告項目をアクセスポイント１２０Ａ〜１２０Ｄへブロードキャストする。ブロードキャスト制御部２１７が図５（ｃ）のブロードキャストディスク５２０を読み出した場合に、ブロードキャスト制御装置２１７はスロット「１」内の報告項目「Ａ」からスロット「１６」内の報告項目「Ｅ」までをブロードキャストする。乗物１００がアクセスポイント１２０Ａ〜１２０Ｄのカバレッジエリア１２１Ａ〜１２１Ｄの何れにも含まれない場合に、アクセスポイント１２０Ａ〜１２０Ｄの何れもブロードキャストされた報告項目を受信できない。しかしながら、高い優先度を有する報告項目はブロードキャストされる回数が多いので、このような報告項目がアクセスポイント１２０Ａ〜１２０Ｄの何れかで受信される可能性は向上する。
【００３８】
ブロードキャスト制御部２１７は、通信装置２１０が動作している間、Ｓ６０１〜Ｓ６０３の動作を繰り返す。ステップＳ６０１でブロードキャスト制御部２１７が新たなブロードキャストアドレスを受信しなかった場合に、ブロードキャスト制御部２１７は既存のブロードキャストアドレスを使用し続ける。ポリシー表及び／又は報告表の変更に起因してブロードキャスト制御部２１７が新たなブロードキャストディスクを取得した場合に、ブロードキャスト制御部２１７はステップＳ６０３で新たなブロードキャストディスク内の報告項目をブロードキャストする。
【００３９】
図７のフローチャートは本発明の他の実施形態によるブロードキャスト制御部２１７の動作を説明する。ＣＰＵ２１１はこれらの動作を処理するためにメモリ２１２に格納されたコンピュータプログラムを実行してもよい。ステップＳ７０１で、ブロードキャスト制御部２１７はアクセスポイント１２０Ａ〜１２０Ｄへ報告項目をブロードキャストするためのブロードキャストアドレスを受信する。ステップＳ７０１の動作はステップＳ６０１の動作と同様である。この実施形態では、ブロードキャスト制御部２１７は更に、アクセスポイント１２０Ａ〜１２０Ｄの地理的カバレッジエリア１２１Ａ〜１２１Ｄの指標を取得する。乗物１００がアクセスポイント１２０Ａ〜１２０Ｄの地理的カバレッジエリア１２１Ａ〜１２１Ｄの何れかに含まれる場合に、アクセスポイント１２０Ａ〜１２０Ｄは通信装置２１０が送信した報告項目を受信できる。アクセスポイントの地理的カバレッジエリアはアクセスポイントの地理的位置と、アンテナ設定、出力電力、アクセスポイントの周囲の環境などのようなアクセスポイントに固有の特性とに基づいて生成されうる。
【００４０】
ステップＳ７０２で、ブロードキャスト制御部２１７はジオコーディング管理部２１８から現在の地理的位置を取得する。ステップＳ７０３で、ブロードキャスト制御部２１７は、通信装置２１０がアクセスポイント１２０Ａ〜１２０Ｄの何れかの地理的カバレッジエリアに含まれるかどうかを判定する。ステップＳ７０３の結果がＮＯの場合に、ブロードキャスト制御部２１７はステップＳ７０２に戻り、現在の地理的位置を再び取得する。ブロードキャスト制御部２１７は、乗物１００の現在位置及び速度に基づいて制御ベクトルを生成し、制御ベクトルがアクセスポイント１２０Ａ〜１２０Ｄの地理的カバレッジエリア１２１Ａ〜１２１Ｄの何れかと交差するかどうかを判定することによって、ステップＳ７０３の判定を実行してもよい。
【００４１】
ステップＳ７０３の結果がＹＥＳの場合に、ブロードキャスト制御部２１７はステップＳ７０４でブロードキャストディスクを取得し、ステップＳ７０５でブロードキャストディスク内の報告項目をブロードキャストする。ステップＳ７０４、Ｓ７０５の動作はステップＳ６０２、Ｓ６０３の動作と同様である。
【００４２】
ブロードキャスト制御部２１７は、通信装置２１０が動作している間、Ｓ７０１〜Ｓ７０５の動作を繰り返す。ステップＳ７０１でブロードキャスト２１７が新たなブロードキャストアドレスを取得できなかった場合に、ブロードキャスト制御部２１７は既存のブロードキャストアドレスを使用し続ける。ポリシー表及び／又は報告表の変更に起因してブロードキャスト制御部２１７が新たなブロードキャストディスクを取得した場合に、ブロードキャスト制御部２１７はステップＳ７０５で新たなブロードキャストディスク内の報告項目をブロードキャストする。図７に示される実施形態では、通信装置２１０がアクセスポイントの地理的カバレッジエリアに入った直後に、最高の優先度を有する報告項目からブロードキャストが始まる。よって、最高の優先度を有する項目はアクセスポイントによって常に受信される。さらに、通信装置２１０がアクセスポイントの地理的カバレッジエリアに入るまでブロードキャスト制御部２１７はブロードキャストを始めないので、エネルギー消費が低減し、プライバシーが向上する。
【図１】
0005902994.tif 000002
【図２】
0005902994.tif 000003
【図３】
0005902994.tif 000004
【図４】
0005902994.tif 000005
【図５】
0005902994.tif 000006
【図６】
0005902994.tif 000007
【図７】
0005902994.tif 000008